(57)【要約】【課題】シンブルロッドに生じる曲げモーメントを軽減したエレベータの巻掛部材の端末支持構造を提供する。【解決手段】機械室床２ａ上に圧縮コイルスプリング１５を介して球面受座１６を配置するとともに、その球面受座１６の挿通孔１６ａにメインロープ４のかご側端部４ａに係止されたシンブルロッド１２を挿通し、シンブルロッド１２にねじ込まれた球面ナット１７のうち凸状球面からなる座面１７ａを球面受座１６の凹状球面からなる被着座面１６ｂに着座させてメインロープ４を引き止める。【選択図】図２
2008087903.tif 000002
【特許請求の範囲】
【請求項１】
索状または帯状をなす巻掛部材の一端に連結されたシンブルロッドが引き止め部材の挿通孔を挿通していて、巻掛部材の牽引方向で引き止め部材と引っ掛かりの関係となるシンブルロッド側の係止部材が引き止め部材の被着座面に着座してシンブルロッドを引き止めるエレベータの巻掛部材の端末支持構造であって、
係止部材と引き止め部材が球面接触していて、シンブルロッドが引き止め部材に対して揺動可能になっていることを特徴とするエレベータの巻掛部材の端末支持構造。
【請求項２】
シンブルロッドの外周面にねじ部が形成されていて、そのねじ部に螺合したナットが係止部材として機能するようになっていることを特徴とする請求項１に記載のエレベータの巻掛部材の端末支持構造。
【請求項３】
係止部材の座面および引き止め部材の被着座面のうち一方の面が凸状球面になっているとともに、他方の面が上記一方の面を受容する凹状球面になっていることを特徴とする請求項１または２に記載のエレベータの巻掛部材の端末支持構造。
【発明の詳細な説明】
【技術分野】
【０００１】
本発明はエレベータに用いられる索状または帯状の巻掛部材の端末支持構造に関し、特に、上記巻掛部材の端部に連結されたシンブルロッドに生じる曲げモーメントを軽減するようにしたエレベータの巻掛部材の端末支持構造に関する。
【背景技術】
【０００２】
エレベータのメインロープの両端部にはそれぞれシンブルロッドが連結されていて、そのシンブルロッドをもって建物躯体にメインロープを引き止めるようになっている。そして、このような従来のエレベータでは、シンブルロッドがかごの走行方向を指向する姿勢で設置されていた。
【０００３】
したがって、メインロープの端部がかごの走行方向に対して傾斜するように張設されている場合には、シンブルロッドがその長手方向に対して傾斜する方向に牽引されてシンブルロッドに曲げモーメントが発生し、シンブルロッドの耐久性が低下する恐れがある。
【０００４】
その上、かごの昇降に伴ってかごの走行方向に対するメインロープの傾斜角度が変化することでシンブルロッドの牽引方向が変化するため、かごが昇降するたびにシンブルロッドに生じる曲げモーメントの大きさが変動し、疲労によってシンブルロッドの耐久性がさらに低下する恐れがある。
【０００５】
そこで、特許文献１に記載の技術では、シンブルロッドをかごが昇降行程の中間部に位置するときにメインロープと一直線状となる姿勢で配置することで、メインロープに対するシンブルロッドの傾斜角度を小さくしてシンブルロッドに生ずる曲げモーメントを軽減するようにしている。
【特許文献１】特開２００４−７５３６２号公報
【発明の開示】
【発明が解決しようとする課題】
【０００６】
特許文献１に記載の技術では、シンブルロッドが鉛直方向を指向する姿勢で配置されている場合に比べてシンブルロッドに生ずる最大曲げモーメントは減少するものの、シンブルロッドに曲げモーメントが発生することに変わりはない上に、かごが昇降するたびにシンブルロッドに生じる曲げモーメントの方向とその大きさが変動することとなり、シンブルロッドの耐久性の低下がなおも危惧される。
【０００７】
本発明は以上の課題を鑑みてなされたものであり、シンブルロッドをその牽引方向の変化に応じて揺動可能とすることで、シンブルロッドに生ずる曲げモーメントをより軽減したエレベータの巻掛部材の端末支持構造を提供することを目的としている。
【課題を解決するための手段】
【０００８】
請求項１に記載の発明は、索状または帯状をなす巻掛部材の一端に連結されたシンブルロッドが引き止め部材の挿通孔を挿通していて、巻掛部材の牽引方向で引き止め部材と引っ掛かりの関係となるシンブルロッド側の係止部材が引き止め部材の被着座面に着座してシンブルロッドを引き止めるエレベータの巻掛部材の端末支持構造であることを前提とし、係止部材と引き止め部材が球面接触していて、シンブルロッドが引き止め部材に対して揺動可能になっていることを特徴としている。
【０００９】
少なくとも請求項１に記載の発明では、シンブルロッドが引き止め部材に対して揺動可能であるため、シンブルロッドの牽引方向がシンブルロッドの長手方向に対して傾斜している場合に、シンブルロッドがその牽引方向を指向するように揺動することとなる。
【００１０】
具体的には請求項２に記載の発明のように、シンブルロッドの外周面にねじ部が形成されていて、そのねじ部に螺合したナットが係止部材として機能するようになっているものとする。
【００１１】
また、請求項３に記載のように、係止部材の座面および引き止め部材の被着座面のうち一方の面が凸状球面になっているとともに、他方の面が上記一方の面を受容する凹状球面になっていると、シンブルロッドの揺動動作の自由度を向上させる上でより望ましい。
【発明の効果】
【００１２】
請求項１に記載の発明によれば、シンブルロッドの牽引方向がシンブルロッドの長手方向に対して傾斜している場合に、シンブルロッドがその牽引方向を指向するように揺動するため、シンブルロッドに生じる曲げモーメントが著しく軽減され、シンブルロッドの耐久性が向上する効果がある。
【発明を実施するための最良の形態】
【００１３】
図１は本発明のより具体的な実施の形態としてエレベータの概略を示す縦断面図である。
【００１４】
図１に示すように昇降路１の上方には機械室２が設けられていて、その機械室２に駆動シーブ３が設置されているとともに、その駆動シーブ３に巻き掛けられた巻掛部材たるメインロープ４のかご側端部４ａが機械室床２ａ上に設置された支持装置５に引き止められている。一方、メインロープ４のカウンター側端部４ｂは昇降路１の側壁１ａに固定された支持装置６に引き止められている。
【００１５】
メインロープ４のうち駆動シーブ３と支持装置５の間の部位にはかご吊り車８を介してかご７が吊下げられているとともに、メインロープ４のうち駆動シーブ３と支持装置６との間の部位にカウンター吊り車１０を介してカウンターウエイト９が吊下げられていて、メインロープ４にはかご７およびカウンターウエイト９のそれぞれの自重により常時張力が付与されている。そして、駆動シーブ３を図示外の駆動モータにより回転駆動することでかご７およびカウンターウエイト９がそれぞれ鉛直方向に走行するようになっている。
【００１６】
ここで、支持装置５がメインロープ４を引き止めている位置とメインロープ４がかご吊り車８に接触を始める点Ａとがかご７の走行方向と直交する投影面、すなわち水平投影面上においてオフセットしている。すなわち、メインロープ４のかご側端部４ａがかご７の走行方向に対して傾斜角度θをもって傾斜しているとともに、その傾斜角度θはかご７の昇降移動に伴って変化する。例えば、かご７が上昇した場合には図１の仮想線にて示すように傾斜角度θが増加する。
【００１７】
同様に、支持装置６がメインロープ４を引き止めている位置とメインロープ４がカウンタ−吊り車１０に接触を始める点Ｂとが水平投影面上においてオフセットしているとともに、メインロープ４のカウンター側端部４ｂがカウンターウエイト９の走行方向に対して傾斜していて、その傾斜角度はカウンターウエイト９の昇降移動に伴って変化する。
【００１８】
図２は支持装置５の詳細を示す断面図である。なお、図２の（ａ）では便宜上メインロープ４のかご側端部４ａがかご７の走行方向に沿うように描いていて、図２の（ｂ）にメインロープ４のかご側端部４ａがかご７の走行方向に対して傾斜した状態を示してある。
【００１９】
メインロープ４のかご側端部４ａには図２の（ａ）に示すようにいわゆる楔式のロープソケット１１が取り付けられているとともに、そのロープソケット１１にシンブルロッド１２が図示外のピンをもって連結されている。
【００２０】
支持装置５は、上下一対のスプリングシート１３，１４とその両スプリングシート１３，１４間に配置された圧縮コイルスプリング１５および上方のスプリングシート１４上に重合配置された引き止め部材たる球面受座１６から構成されていて、下方のスプリングシート１３は機械室床２ａによりバックアップされている。
【００２１】
両スプリングシート１３，１４および球面受座１６は略円盤状であるとともに、両スプリングシート１３，１４および球面受座１６の中心に挿通孔１３ａ，１４ａ，１６ａがそれぞれ穿設されている。シンブルロッド１２は両スプリングシート１３，１４と球面受座１６の挿通孔１３ａ，１４ａ，１６ａおよび圧縮コイルスプリング１５の中心をそれぞれ上方に向かって挿通していて、シンブルロッド１２のうち反メインロープ４側先端部の外周面に形成されたねじ部１２ａに係止部材たる球面ナット１７がねじ込まれている。
【００２２】
球面ナット１７は球面受座１６に接していて、球面ナット１７を回動させて圧縮コイルスプリング１５を弾性変形させることでメインロープ４の張力を調整できるようになっている。なお、シンブルロッド１２のねじ部１２ａにねじ込まれたロックナット１８により球面ナット１７の緩み止めがなされているとともに、両スプリングシート１３，１４および球面受座１６の挿通孔１３ａ，１４ａ，１６ａはそれぞれシンブルロッド１２よりも大径になっている。
【００２３】
すなわち、球面ナット１７はメインロープ４の牽引方向で球面受座１６と引っ掛かりの関係となっていて、球面ナット１７の座面１７ａが球面受座１６の被着座面１６ｂに着座することでメインロープ４に牽引される牽引力に抗してシンブルロッド１２が引き止められている。
【００２４】
より詳細には、球面ナット１７の座面１７ａは凸状球面となっている一方で、球面受座１６のうち挿通孔１６ａの開口縁部に形成された被着座面１６ｂは球面ナット１７の座面１７ａを受容する凹状球面となっていて、球面ナット１７と球面受座１６とが球面接触することで、その接触面を中心にシンブルロッド１２が球面受座１６に対して揺動可能となっている。
【００２５】
なお、支持装置６も支持装置５とほぼ同様に構成されているが、支持装置６はそのスプリングシート１３が昇降路１の側壁１ａに固定されている点で支持装置５と異なる。
【００２６】
以上のように構成したエレベータの巻掛部材の端末支持構造では、かご７が昇降移動した際に、図２の（ｂ）に示すようにメインロープ４の傾斜角度θが変化するのに伴ってシンブルロッド１２の牽引方向が変化し、球面ナット１７と球面受座１６との球面対偶をもってシンブルロッド１２がメインロープ４と一直線状となるように揺動変位する。
【００２７】
したがって、本実施の形態によれば、シンブルロッド１２がその牽引方向を指向するように揺動するため、シンブルロッド１２に生じる曲げモーメントが著しく軽減され、シンブルロッド１２の耐久性が飛躍的に向上する効果がある。
【００２８】
その上、大掛かりな装置を必要としないため、省スペース化およびコスト削減を図る上で有利となるメリットがある。
【００２９】
なお、本実施の形態では巻掛部材としてメインロープ４を用いたが、巻掛部材としてベルトを用いた場合にあっても同様に本発明を適用可能であることは言うまでもない。
【００３０】
また、図３に第１の実施の形態の変形例として示すように、図２における支持装置５の圧縮コイルスプリング１５に代えて略円柱状の緩衝ゴム２１を用いるとともに、その緩衝ゴム１９の軸心から外周側へオフセットした位置にシンブルロッド１２を配置することも可能である。なお、図３の（ａ）はメインロープ４に張力が作用していない状態を示す図であって、図３の（ｂ）はメインロープ４に張力が作用している状態を示す図である。また、図３の（ａ），（ｂ）では便宜上メインロープ４のかご側端部４ａがかご７の走行方向に沿うようにして描いてある。
【００３１】
この変形例では、図３の（ａ）に示すように一対のプレート１９，２０間に緩衝ゴム２１を配置した支持装置２２を採用していて、緩衝ゴム２１の軸心から外周側へオフセットした位置をシンブルロッド１２が挿通している。そのため、メインロープ４に張力が作用すると図３の（ｂ）に示すように緩衝ゴム１９が弾性変形してその上面が球面受座１６とともに傾斜するが、球面受座１６に対してシンブルロッド１２が相対的に揺動することでメインロープ４とシンブルロッド１２が一直線状となり、第１の実施の形態とほぼ同様の効果が得られる。
【００３２】
図４は本発明の第２の実施の形態として、図１におけるかご７とカウンターウエイト９との間に掛け渡されている巻掛部材たるコンペンロープ２３の端末支持構造を示す断面図である。なお、図４の（ａ）では便宜上コンペンロープ２３のかご側端部２３ａがかご７の走行方向に沿うように描いていて、図４の（ｂ）にコンペンロープ２３のかご側端部２３ａがかご７の走行方向に対して傾斜した状態を示している。
【００３３】
図１に示すように、コンペンロープ２３のかご側端部２３ａはかご７の下梁７ａに固定されたかご側ヒッチプレート２４に引き止められているとともに、コンペンロープ２３のカウンター側端部２３ｂはカウンターウエイト９に固定されたカウンター側ヒッチプレート２５に引き止められている。
【００３４】
なお、コンペンロープ２３の中間部にはウエイト２６付きの張り車２７が吊下げられていて、コンペンロープ２３に常時所定の張力が付与されている。
【００３５】
ここで、かご側ヒッチプレート２４がコンペンロープ２３を引き止めている位置とコンペンロープ２３が張り車２７に接触を始める点Ｃとが水平投影面上においてオフセットしているため、コンペンロープ２３のかご側端部２３ａがかご７の走行方向に対して傾斜しているとともに、その傾斜角度はかご７の昇降移動に伴って変化することとなる。
【００３６】
図４の（ａ）に示すように、コンペンロープ２３のかご側端部２３ａにはメインロープ４のかご側端部４ａと同様にロープソケット１１が取り付けられているとともに、そのロープソケット１１にシンブルロッド１２が連結されている。
【００３７】
シンブルロッド１２はかご側ヒッチプレート２４に対して第１の実施の形態とほぼ同様の構造で引き止められているが、かご側ヒッチプレート２４上に球面受座１６が直接配置されていて、球面受座１６とかご側ヒッチプレート２４との間に緩衝部材が介在していない点で異なっている。なお、コンペンロープ２３のカウンター側端部２３ｂも同様に引き止められている。
【００３８】
したがって、この第２の実施の形態においても、かご７が昇降移動すると第１の実施の形態とほぼ同様にシンブルロッド１２が揺動変位してシンブルロッド１２に生じる曲げ荷重が軽減され、第１の実施の形態とほぼ同様の効果が得られる。
【図面の簡単な説明】
【００３９】
【図１】本発明の第１の実施の形態としてエレベータの概略を示す縦断面図。
【図２】図１における支持装置の詳細を示す断面図であって、同図（ａ）はメインロープのかご側端部がかごの走行方向に沿うように描いた図、同図（ｂ）はメインロープのかご側端部がかごの走行方向に対して傾斜した状態を示す図。
【図３】第１の実施の形態の変形例を示す図であって、同図（ａ）はメインロープに張力が作用していない状態を示す図、同図（ｂ）はメインロープに張力が作用している状態を示す図。
【図４】本発明の第２の実施の形態を示す断面図であって、同図（ａ）はコンペンロープのかご側端部がかごの走行方向に沿うように描いた図、同図（ｂ）はコンペンロープのかご側端部がかごの走行方向に対して傾斜した状態を示す図。
【符号の説明】
【００４０】
４…メインロープ（巻掛部材）
１２…シンブルロッド
１６…球面受座（引き止め部材）
１７…球面ナット（係止部材）
２３…コンペンロープ（巻掛部材）
【図１】
2008087903.tif 000003
【図２】
2008087903.tif 000004
【図３】
2008087903.tif 000005
【図４】
2008087903.tif 000006